(57)【要約】【課題】ラップラウンド形式の包装箱のほぼ上半分の廃棄作業を簡単に行なえ、且つ包装箱のほぼ上半分をコンパクトな状態に折り畳んで廃棄できるようにした段ボール板製包装箱を提供する。【解決手段】１組の対向側板１，３およびこの側板１，３の両端に連設した短いフラップ６，７および８，９の上下方向のほぼ中間部に全長に亘って１本のカット線１６が形成されており、１組の対向側板の一方の側板１の上端辺と止め代５とを繋ぐ連設線にも全長に亘ってカット線１７が形成されているとともに、他方の側板３の上端辺と天板４の一側辺とを繋ぐ連設線にも全長に亘ってカット線１７が形成されており、さらに天板４とその両端のフラップ１２，１３とを繋ぐ連設線にも両端に前記短いフラップ６，７および８，９の長さと同じ長さのカット線１８が形成されている。【選択図】    図１
2007069929.tif 000002
【特許請求の範囲】
【請求項１】
２組の対向側板の内、１組の対向側板の一方の側板の下端辺に底板の一側辺が連設され、この底板の一側辺に対向する他側辺に１組の対向側板の他方の側板の下端辺が連設され、この他方の側板の上端辺に天板の一側辺が連設され、この天板の他側辺側と前記一方の側板とを前記一方の側板の上端辺または天板の他側辺に連設した止め代を介して接合して横向きの胴部を形成し、この胴部の前記側板の両端に連設した短いフラップを側板に対して内側に直角に折り曲げ、この短いフラップの外面に前記底板および天板の両端に突き合わせ状態で閉じるように連設したフラップを重ねて接着剤により互いに貼り合わせて２組の対向側板の内、他の組の対向側板を形成し、前記１組の対向側板およびこの側板の両端に連設した短いフラップの上下方向のほぼ中間部にカット線が形成されており、前記一方の側板の上端辺または天板の他側辺と止め代とを繋ぐ連設線にもカット線が形成されているとともに、他方の側板の上端辺と天板の一側辺とを繋ぐ連設線にもカット線が形成されており、さらに天板とその両端のフラップとを繋ぐ連設線にも中央部を残して前記側板の両端に連設した短いフラップの長さと同じ長さのカット線が形成されており、前記一方の側板に形成されたカット線と一方の側板の上端辺または天板の他側辺と止め代とを繋ぐ連設線に形成されたカット線との間および他方の側板に形成されたカット線と他方の側板の上端辺と天板の一側辺とを繋ぐ連設線に形成されたカット線との間を結ぶように指差し込み用の切り込み部が形成されていることを特徴とする段ボール板製包装箱。
【請求項２】
２組の対向側板の内、１組の対向側板の一方の側板の下端辺に底板の一側辺が連設され、この底板の一側辺に対向する他側辺に１組の対向側板の他方の側板の下端辺が連設され、この他方の側板の上端辺に天板の一側辺が連設され、この天板の他側辺側と前記一方の側板とを前記一方の側板の上端辺または天板の他側辺に連設した止め代を介して接合して横向きの胴部を形成し、この胴部の前記側板の両端に連設した短いフラップを側板に対して内側に直角に折り曲げ、この短いフラップの外面に前記底板および天板の両端に突き合わせ状態で閉じるように連設したフラップを重ねて接着剤により互いに貼り合わせて２組の対向側板の内、他の組の対向側板を形成し、前記１組の対向側板およびこの側板の両端に連設した短いフラップの上下方向のほぼ中間部にカット用テープが貼着されており、前記一方の側板の上端辺または天板の他側辺と止め代とを繋ぐ連設線にカット線が形成されているとともに、他方の側板の上端辺と天板の一側辺とを繋ぐ連設線にもカット線が形成されており、さらに天板とその両端のフラップとを繋ぐ連設線にも中央部を残して前記側板の両端に連設した短いフラップの長さと同じ長さのカット線が形成されており、前記一方の側板に貼着されたカット用テープと一方の側板の上端辺または天板の他側辺と止め代とを繋ぐ連設線に形成されたカット線との間および他方の側板に貼着されたカット用テープと他方の側板の上端辺と天板の一側辺とを繋ぐ連設線に形成されたカット線との間を結ぶように指差し込み用の切り込み部が形成されていることを特徴とする段ボール板製包装箱。
【請求項３】
天板の一側辺および他側辺に沿う長さ方向中央部に罫線が形成されており、この罫線を挟む位置で天板に切り込み部が形成されていることを特徴とする請求項１または２記載の段ボール板製包装箱。
【発明の詳細な説明】
【技術分野】
【０００１】
本発明は段ボール板製包装箱に関するものである。
【背景技術】
【０００２】
従来、店頭などで販売に供せられる商品（以下、被収納物と称す）をラップラウンド形式の段ボール板製の包装箱に収納した状態でディスプレーするために、包装箱のほぼ上半分を切除すべく包装箱の外周を形成する２組の対向側板にジッパー状のカット線を形成したものが知られている。
【０００３】
その一例として特許文献１に開示されている包装箱のように、包装箱の少なくとも一壁面に多数個の破断用切目が２列に整列され、破断用切目間の破断用連結部を破断して列間の帯状分離部を箱本体から分離することにより箱本体を開封しうるものが知られている。
【特許文献１】特開平８−１９８２４７号公報
【発明の開示】
【発明が解決しようとする課題】
【０００４】
上記特許文献１に記載の包装箱は、内部に例えばビールや清涼飲料などの缶容器入り飲料などの被収納物が収納され、店頭において前記破断用切目間の破断用連結部を破断して包装箱のほぼ下半分に被収納物が収納された状態でディスプレーされるものであるが、ほぼ下半分から切り離された包装箱のほぼ上半分を廃棄する場合が殆んどであり、その際ほぼ上半分の天板を除く周囲を形成する壁面同士の繋がり部を切り離して全体をフラットな展開状態にし、それを小さく折り畳むなどして廃棄していた。
【０００５】
つまり、ほぼ下半分から切り離された包装箱のほぼ上半分を廃棄する際、ほぼ上半分の天板を除く周囲を形成する壁面同士の繋がり部を切り離すという作業が必要であり、廃棄作業が煩わしいという問題があった。
【０００６】
本発明の目的は、このような課題を解決するものであり、ラップラウンド形式の包装箱のほぼ上半分の廃棄作業を簡単に行なえ、且つ包装箱のほぼ上半分をコンパクトな状態に折り畳んで廃棄できるようにした段ボール板製包装箱を提供することにある。
【課題を解決するための手段】
【０００７】
本発明の請求項１に記載の段ボール板製包装箱は、２組の対向側板の内、１組の対向側板の一方の側板の下端辺に底板の一側辺が連設され、この底板の一側辺に対向する他側辺に１組の対向側板の他方の側板の下端辺が連設され、この他方の側板の上端辺に天板の一側辺が連設され、この天板の他側辺側と前記一方の側板とを前記一方の側板の上端辺または天板の他側辺に連設した止め代を介して接合して横向きの胴部を形成し、この胴部の前記側板の両端に連設した短いフラップを側板に対して内側に直角に折り曲げ、この短いフラップの外面に前記底板および天板の両端に突き合わせ状態で閉じるように連設したフラップを重ねて接着剤により互いに貼り合わせて２組の対向側板の内、他の組の対向側板を形成し、前記１組の対向側板およびこの側板の両端に連設した短いフラップの上下方向のほぼ中間部にカット線が形成されており、前記一方の側板の上端辺または天板の他側辺と止め代とを繋ぐ連設線にもカット線が形成されているとともに、他方の側板の上端辺と天板の一側辺とを繋ぐ連設線にもカット線が形成されており、さらに天板とその両端のフラップとを繋ぐ連設線にも中央部を残して前記側板の両端に連設した短いフラップの長さと同じ長さのカット線が形成されており、前記一方の側板に形成されたカット線と一方の側板の上端辺または天板の他側辺と止め代とを繋ぐ連設線に形成されたカット線との間および他方の側板に形成されたカット線と他方の側板の上端辺と天板の一側辺とを繋ぐ連設線に形成されたカット線との間を結ぶように指差し込み用の切り込み部が形成されていることを特徴とする。
【０００８】
請求項２に記載の段ボール板製包装箱は、２組の対向側板の内、１組の対向側板の一方の側板の下端辺に底板の一側辺が連設され、この底板の一側辺に対向する他側辺に１組の対向側板の他方の側板の下端辺が連設され、この他方の側板の上端辺に天板の一側辺が連設され、この天板の他側辺側と前記一方の側板とを前記一方の側板の上端辺または天板の他側辺に連設した止め代を介して接合して横向きの胴部を形成し、この胴部の前記側板の両端に連設した短いフラップを側板に対して内側に直角に折り曲げ、この短いフラップの外面に前記底板および天板の両端に突き合わせ状態で閉じるように連設したフラップを重ねて接着剤により互いに貼り合わせて２組の対向側板の内、他の組の対向側板を形成し、前記１組の対向側板およびこの側板の両端に連設した短いフラップの上下方向のほぼ中間部にカット用テープが貼着されており、前記一方の側板の上端辺または天板の他側辺と止め代とを繋ぐ連設線にカット線が形成されているとともに、他方の側板の上端辺と天板の一側辺とを繋ぐ連設線にもカット線が形成されており、さらに天板とその両端のフラップとを繋ぐ連設線にも中央部を残して前記側板の両端に連設した短いフラップの長さと同じ長さのカット線が形成されており、前記一方の側板に貼着されたカット用テープと一方の側板の上端辺または天板の他側辺と止め代とを繋ぐ連設線に形成されたカット線との間および他方の側板に貼着されたカット用テープと他方の側板の上端辺と天板の一側辺とを繋ぐ連設線に形成されたカット線との間を結ぶように指差し込み用の切り込み部が形成されていることを特徴とする。
【０００９】
請求項３に記載の段ボール板製包装箱は、天板の一側辺および他側辺に沿う長さ方向中央部に罫線が形成されており、この罫線を挟む位置で天板に切り込み部が形成されていることを特徴とする。
【発明の効果】
【００１０】
以上のように、本発明の段ボール板製包装箱は、包装箱をカット線（カット用テープも含む）に沿って上下に分断したとき、天板の両端に連設されたフラップの両端に板部が接着されて残った状態となり、この板部を折り曲げてフラップに重ねるなどして全体をフラットな状態にすることができ、廃棄の際にほぼ上半分の天板を除く周囲を形成する壁面同士の繋がり部を切り離すという作業が不要となり、廃棄作業が行ないやすくなる。また、天板の一側辺および他側辺に沿う長さ方向中央部に罫線を形成し、この罫線を挟む位置で天板に切り込み部を形成してあることにより、上半分の廃棄時に天板の両端に連設されたフラップの両端に残っている板部をフラップに重なるように折り曲げて天板を２つ折りし、一方の切り込み部で囲まれる係止片を他方の切り込み部側に押し込んで係止させることにより天板の２つ折り状態を保持したコンパクトな状態でほぼ上半分を廃棄することができる。
【発明を実施するための最良の形態】
【００１１】
以下、本発明の実施の形態を、図面に基づき具体的に説明する。
先ず、図１〜図８に示す第１の実施の形態について説明すると、本実施の形態の段ボール板製包装箱は高さの低いラップラウンド形式の段ボール板製包装箱であって、２組の対向側板の内、長辺側の一方の側板１の下端辺に底板２の一側辺が連設され、この底板２の一側辺に対向する他側辺に長辺側の他方の側板３の下端辺が連設され、この他方の側板３の上端辺に天板４の一側辺が連設され、この天板４の他側辺側の裏面を前記長辺側の一方の側板１の上端辺に連設した止め代５に接着剤で接合して横向きの胴部を形成し、この胴部の前記長辺側の側板１および３の両端に連設した短いフラップ６，７および８，９を側板１および３に対して内側に直角に折り曲げ、このフラップ６および８ならびにフラップ７および９の外面に前記底板２および天板４の両端に突き合わせ状態で閉じるように連設したフラップ１０，１１および１２，１３を重ねて接着剤により互いに貼り合わせて２組の対向側板の内、短辺側の対向側板１４および１５を形成している。
【００１２】
そして、このような段ボール板製包装箱において、包装箱の外周を形成する長辺側の側板１，３およびフラップ６，７，８，９の上下方向のほぼ中間部に全長に亘って１本のジッパー状のカット線１６が形成されている。
【００１３】
また、一方の側板１の上端辺と止め代５とを繋ぐ連設線にも全長に亘ってジッパー状のカット線１７が形成されているとともに、他方の側板３の上端辺と天板４の一側辺とを繋ぐ連設線にも全長に亘ってジッパー状のカット線１７が形成されており、さらに天板４とその両端のフラップ１２，１３とを繋ぐ連設線にも両端に前記フラップ６，７および８，９の長さと同じ長さのジッパー状のカット線１８が形成されている。
【００１４】
１９は長辺側の側板１および３においてカット線１６およびカット線１７の途中を結ぶように全切り状態で入れられたＩ型の切り込み部、２０は天板４の長辺に沿う長さ方向中央部に形成された罫線、２１はこの罫線２０を挟む位置で天板４に形成された切り込み部で、罫線２０の位置で天板４を２つ折りした状態で一方の切り込み部２１で囲まれる係止片２２を他方の切り込み部２１側に押し込み、前記係止片２２を他方の切り込み部２１に係止させることにより天板４の２つ折り状態を保持できるようになっている。
【００１５】
上記構成において、被収納物収納状態の包装箱のほぼ上半分を切除する場合、包装箱の長辺側の側板１および３においてカット線１６およびカット線１７の途中を結ぶように入れられたＩ型の切り込み部１９，１９より指を掛けてカット線１６，１７間を摘み、切り込み部１９，１９からそれぞれ逆方向に向かってカット線１６，１７さらにカット線１８に沿って引っ張ることによりカット線１６とカット線１７，１８間の板部２３は帯状に切り取られ、包装箱のほぼ上半分が切除されて、被収納物（図示せず）が包装箱のほぼ下半分に収納された状態でディスプレーすることができる。
【００１６】
包装箱のほぼ下半分から切り離されたほぼ上半分は、前記天板４の両端に連設されたフラップ１２，１３の両端に帯状の板部２０が接着されて残った状態となり、これらを天板４の内面に重なるように折り曲げて前述のように天板４を２つ折りし、一方の切り込み部２１で囲まれる係止片２２を他方の切り込み部２１側に押し込み、前記係止片２２を他方の切り込み部２１に係止させることにより天板４の２つ折り状態を保持したコンパクトな状態でほぼ上半分を廃棄すれば良い。
【００１７】
以上、第１の実施の形態で説明した段ボール板製包装箱は長辺側の側板１および３においてカット線１６およびカット線１７の途中を結ぶようにＩ型の切り込み部１９を入れ、このＩ型の切り込み部１９，１９より指を掛けてカット線１６，１７間を摘み、カット線１６，１７さらにカット線１８に沿って包装箱を上下にカット（分断）するようになっているが、図９〜図１１に示す第２の実施の形態のように長辺側の側板１および３においてカット線１６およびカット線１７の途中を結ぶように全切り状態の２本の平行な切り込み部２４を入れ、この２本の平行な切り込み部２４間の板部を図に示すように手前に引き上げ、もしくは押し込むなどして大きな開口部２５を形成し、この開口部２５より指を入れてカット線１６，１７間を摘み、カット線１６，１７さらにカット線１８に沿って包装箱を上下にカット（分断）することも可能である。
【００１８】
ところで、以上述べた各実施の形態において、天板４の他側辺側の裏面を長辺側の一方の側板１の上端辺に連設した止め代５に接着剤で接合しているが、天板４の他側辺側に止め代を連設し、この止め代を長辺側の一方の側板１の上端に接着剤で接合するようにしても良い。
【００１９】
また、以上述べた各実施の形態において、ジッパー状のカット線１６の代わりにカット用テープを長辺側の側板１、フラップ６，７内面および側板３、フラップ８，９の内面に貼着するようにしても良い。
【図面の簡単な説明】
【００２０】
【図１】本発明の第１の実施の形態における段ボール板製包装箱の展開図である。
【図２】同包装箱の組み立て完成状態を示す斜視図である。
【図３】同包装箱を上下に切り離す第１の状態を示す斜視図である。
【図４】同包装箱を上下に切り離す第２の状態を示す斜視図である。
【図５】同包装箱を上下に切り離す第３の状態を示す斜視図である。
【図６】同包装箱を上下に切り離す第４の状態を示す斜視図である。
【図７】同包装箱のほぼ下半分から切り離されたほぼ上半分を廃棄する前の折り畳み状態を示す斜視図である。
【図８】同包装箱のほぼ下半分から切り離されたほぼ上半分を２つ折りした状態を示す斜視図である。
【図９】本発明の第２の実施の形態における段ボール板製包装箱の展開図である。
【図１０】同包装箱の組み立て完成状態を示す斜視図である。
【図１１】同包装箱を上下に切り離す始めの状態を示す斜視図である。
【符号の説明】
【００２１】
１                      側板
２                      底板
３                      側板
４                      天板
５                      止め代
６，７，８，９          フラップ
１０，１１，１２，１３    フラップ
１４，１５                側板
１６，１７，１８          カット線
１９                      切り込み部
２０                      罫線
２１                      切り込み部
２２                      係止片
２４                      切り込み部
【図１】
2007069929.tif 000003
【図２】
2007069929.tif 000004
【図３】
2007069929.tif 000005
【図４】
2007069929.tif 000006
【図５】
2007069929.tif 000007
【図６】
2007069929.tif 000008
【図７】
2007069929.tif 000009
【図８】
2007069929.tif 000010
【図９】
2007069929.tif 000011
【図１０】
2007069929.tif 000012
【図１１】
2007069929.tif 000013